(57)【要約】      （修正有）【課題】８ミリムービーカメラのシャッター全開およびフィルム送りに同期して動画を撮影し、その動画データをメモリカードなどの記憶媒体に保存できるデジタルビデオアダプタを提供する。【解決手段】８ミリムービーカメラのフィルムカートリッジと同じ寸法規格の筐体に、本来の結像位置をイメージセンサ３まで延長するためにカメラの開口部１４に密着したレンズＡ１と画像をイメージセンサ上に結像させるレンズＢ２、イメージセンサ３、イメージセンサ用の外部同期信号を作り出すフィルム送り検出用センサ４と外部同期信号発生回路５、カメラのシャッター全開およびフィルム送り速度に同期した動画データを出力するイメージセンサ制御回路６、イメージセンサ制御回路６から出力された動画データをメモリカード８に保存できるデータ形式に変換する画像データ処理回路７、撮影された動画データを保存するメモリカード８、これらの回路を駆動する電池等を組み込む。【選択図】図１
0003175770.tif 000002
【実用新案登録請求の範囲】
【請求項１】
８ミリムービーカメラのフィルムカセットの代わりにセットして８ミリムービーカメラのシャッター全開およびフィルム送りに同期して動画を撮影し、その動画データをメモリカードなどの記憶媒体に保存することを特長とするデジタルビデオアダプタ。
【考案の詳細な説明】
【技術分野】
【０００１】本考案はビデオカメラの普及により製造が中止されてほとんど使用されなくなった８ミリムービーカメラのフィルムカセットの代わりにセットして８ミリムービーカメラのシャッター全開およびフィルム送りに同期して動画を撮影し、その動画データをメモリカードなどの記憶媒体に保存できるデジタルビデオアダプタに関するものである。
【背景技術】
【０００２】ビデオカメラが普及し、かって１０００万台以上出荷された８ミリムービーカメラはもはや生産されていないが、これら過去に製造された８ミリムービーカメラで撮影された映像がかもしだす独特の雰囲気に魅せられたマニアも多く、いまだに撮影可能な状態の８ミリムービーカメラは多数残っている。しかし、近年フィルムが入手困難になり、価格も高騰しており、８ミリムービーカメラでの撮影は困難になっている。もし、８ミリムービーカメラのフィルムカセットの代わりにセットできて、デジタルカメラのように撮影した動画がメモリカードなどの記憶媒体に保存できるようなデジタルビデオアダプタがあれば８ミリムービーカメラの再利用が可能になる。デジタルビデオアダプタの筐体がフィルムカセットと同じ規格であれば８ミリムービーカメラを改造する必要もない。【０００３】半導体技術や電子回路技術等の進歩により高解像度のＣＣＤやＣＭＯＳイメージセンサは外寸の１辺が１０ミリ以下という小型のものが実用化され、専用のイメージセンサ制御回路や画像データ処理回路、メモリカードや電池等の部品も小型化が進み、電子部品の動作電圧や消費電力も低下している。これらの部品を使えば８ミリムービーカメラのフィルムカセットと同じ規格の筐体内にデジタルビデオアダプタを構成するすべての部品を組み込むことが可能である。８ミリムービーカメラのフイルム室にセットしてシャッターを押すだけで動画を撮影し、その動画データをメモリカードなどの記憶媒体に保存できるデジタルビデオアダプタはまだ実用化されていない。
【考案の開示】
【考案が解決しようとする課題】
【０００４】ビデオカメラの普及により製造が中止されてほとんど使用されなくなった８ミリムービーカメラのフィルムカセットの代わりにセットして８ミリムービーカメラのシャッター全開およびフィルム送りに同期して動画を撮影し、その動画データをメモリカードなどの記憶媒体に保存できるデジタルビデオアダプタで８ミリムービーカメラを再利用したい。
【課題を解決するための手段】
【０００５】８ミリムービーカメラのシャッターは一般的には一部に切り欠きがある円盤をフィルム送り速度に同調して回転させ、フィルムを１コマ送る毎に１回切り欠きが通過してシャッターが開くようになっている。フィルム送りはフィルムにあるパーフォレーション穴にフィルム送り用の爪を１コマ毎に引っかけてシャッターが閉じているときに送るようになっている。【０００６】イメージセンサから画像データを読み込むタイミングは外部同期信号に同期して行う。したがって、８ミリムービーカメラのフィルム送り用の爪の動きとシャッターの開閉状態を調べて、フィルムが止まっていてシャッターが全開になっているタイミングで外部同期信号をメージセンサ制御回路に送るようにすれば８ミリムービーカメラのシャッター全開およびフィルム送り速度に同期した動画データを生成することができる。【０００７】８ミリムービーカメラのシャッター全開およびフィルム送り速度に同期した動画データはテレビ等の動画データとフレームレート等は異なるが、パーソナルコンピュータの動画ビューワで見たり、動画編集ソフトで編集するのに問題はない。もしフレームレートを変換する必要があってもパーソナルコンピュータの動画編集ソフトで簡単に変換できる。
【考案の効果】
【０００８】本考案を実施することにより、ビデオカメラの普及により製造が中止されてほとんど使用されなくなった８ミリムービーカメラのフィルムカセットの代わりにセットして８ミリムービーカメラのシャッター全開およびフィルム送りに同期して動画を撮影し、その動画データをメモリカードなどの記憶媒体に保存できるようになり、８ミリムービーカメラの再利用が可能になる。
【考案を実施するための最良の形態】
【実施例１】
【０００９】図１は本考案によるデジタルビデオカメラアダプタの全体構成の実施例である。本装置は、本来の結像位置をイメージセンサ（３）まで延長するためにカメラの開口部（１４）に密着したレンズＡ（１）と画像をイメージセンサ上に結像させるレンズＢ（２）、イメージセンサ（３）、外部同期信号を作り出すフィルム送り検出用センサ（４）と外部同期信号発生回路（５）、カメラのシャッター全開およびフィルム送り速度に同期した動画データを出力するイメージセンサ制御回路（６）、イメージセンサ制御回路（６）から出力された動画データをメモリカード（８）に保存できるデータ形式に変換する画像データ処理回路（７）、撮影された動画データを保存するメモリカード（８）、これらの回路を駆動する電池（９）等で構成される。【００１０】カメラのレンズ系（１０）を通してフィルム面（１１）に結像された画像は、フィルム位置にあるレンズＡ（１）で収束され、レンズＢ（２）でイメージセンサ（３）上に再度結像する。【００１１】フィルム送り検出用センサ（４）はフォトカプラや赤外線などを用いたセンサで、フィルム送り用の爪（１２）の動きを検出して信号を外部同期信号発生回路（５）へ送る。外部同期信号発生回路（５）はフィルム送り検出用センサ（４）の信号からカメラのシャッター（１３）が全開するタイミングを計ってイメージセンサ制御回路（６）へ外部同期信号を送り、イメージセンサの画像をイメージセンサ制御回路（６）へ取り込む。【００１２】イメージセンサ（３）から取り込まれた画像はイメージセンサ制御回路（６）からカメラのシャッター全開およびフィルム送り速度に同期した動画データとして画像データ処理回路（７）へ出力される。イメージセンサ制御回路（６）からの動画データは画像データ処理回路（７）でメモリに保存可能な形式の動画データに変換されてメモリカード（８）へ保存される。イメージセンサ制御回路（６）や画像データ処理回路（７）はイメージセンサー（３）とセットになった製品が市販されている。【００１３】図２は、コダック社スーパー８規格の筐体に本装置を組み込んだ予想図である。【００１４】図３は、コダック社スーパー８規格のフィルムカートリッジを使用する８ミリムービーカメラへ図２の本装置をセットした場合の予想図である。
レンズＡ（１）、レンズＢ（２）、イメージセンサ（３）、フィルム送り検出用センサ（４）、外部同期信号発生回路（５）、イメージセンサ制御回路（６）、画像データ処理回路（７）、メモリカード（８）、電池（９）等は、スーパー８規格のカートリッジと同じ規格の筐体に納めてフィルムの代わりにカメラへセットする。カメラのシャッターを切るとカメラのシャッター全開およびフィルム送り速度に同期して動画を撮影してその動画データをメモリカード（８）へ保存する。【００１５】本装置にマイク入力やモニタ出力の外部端子を付けてカメラの外へ引き出せるようにするとマイクを接続して音声入りの動画撮影をしたり、外部モニタを接続して画像を確認しながら撮影したり、メニューを表示して本装置の各種設定をすることなどができるようになる。
【図面の簡単な説明】
【００１６】
【図１】デジタルビデオカメラアダプタの全体構成
【図２】スーパー８規格の筐体に本装置を組み込んだ予想図
【図３】スーパー８規格の８ミリムービーカメラに図２の本装置をセットした予想図
【符号の説明】
【００１７】（１）：レンズＡ
（２）：レンズＢ
（３）：イメージセンサ
（４）：フィルム送り検出用センサ
（５）：外部同期信号発生回路
（６）：イメージセンサ制御回路
（７）：画像データ処理回路
（８）：メモリカード
（９）：電池
（１０）：カメラのレンズ系
（１１）：フィルム面
（１２）：フィルム送り用の爪
（１３）：シャッター
（１４）：開口部
（１５）：デジタルビデオカメラアダプタの筐体
【図１】
0003175770.tif 000003
【図２】
0003175770.tif 000004
【図３】
0003175770.tif 000005
【手続補正書】
【提出日】平成24年3月8日(2012.3.8)
【手続補正１】
【補正対象書類名】実用新案登録請求の範囲
【補正対象項目名】全文
【補正方法】変更
【補正の内容】
【実用新案登録請求の範囲】
【請求項１】
８ミリムービーカメラ用のフィルムカートリッジと同一形状の筐体内に、本来の結像位置をイメージセンサまで延長するレンズと画像をイメージセンサ上に結像させるレンズ、イメージセンサ、外部同期信号を作り出すフィルム送り検出用センサと外部同期信号発生回路、カメラのシャッター全開およびフィルム送り速度に同期した動画データを出力するイメージセンサ制御回路、イメージセンサ制御回路から出力された動画データをメモリカードに保存できるデータ形式に変換する画像データ処理回路、撮影された動画データを保存するメモリカード、これらの回路を駆動する電池を組み込み、８ミリムービーカメラのフィルムカセットの代わりにセットして８ミリムービーカメラのシャッター全開およびフィルム送りに同期して動画を撮影し、その動画データをメモリカードなどの記憶媒体に保存することを特長とするデジタルビデオアダプタ。